(57)【特許請求の範囲】
【請求項１】
オペレーションセンタから送受信される音声信号およびパケットを端末移動局に無線伝送する無線基地局の無線区間を含めた通信の正常性を試験する移動通信試験装置であって、
前記無線基地局が備えている、回線交換用基地局無線装置ならびにパケット交換用基地局無線装置それぞれに接続された２分配結合器とこの２分配結合器に繋がるアンテナとの間に設けられ、一方の分岐端子が前記アンテナに接続された方向性結合器と、
前記方向性結合器の他方の分岐端子に一端が接続された高周波ケーブルと、
この高周波ケーブルの他端に接続され、パケットデータメモリ部およびパケット試験状態遷移記憶部を有し、回線／パケット交換共用携帯電話機機能を備えた試験端末装置と、
前記オペレ―ションセンターにインターネットを介して接続され、インターネットを介して前記試験端末装置に宛てて前記オペレ―ションセンターを経由するメールを送信する機能を有する保守端末装置と、
を含み構成された移動通信試験装置。
【請求項２】
前記方向性結合器は、前記２分配結合器から送出される無線信号を前記アンテナへ通過させ、前記アンテナにて受信する無線信号を前記２分配結合器へ通過させるが前記試験端末装置には通過させず、かつ、前記試験端末装置からの試験情報無線信号を前記２分配結合器へ通過させるが前記アンテナには通過させない通過特性を有し、
前記試験端末装置は、自動オフフックし、予め記憶しているメッセージを再生送信し、受信した音声を録音し、録音された信号をＰＢ信号により再生送信し、ＰＢ信号によりオンフックする機能と、更に、受信したメールに対して返信メールを送信する機能を有する、
ことを特徴とする請求項１に記載の移動通信試験装置。
【請求項３】
前記保守端末装置を前記オペレーションセンタに設けるとともに、同オペレーションセンタに試験情報として音声データを入力および出力が可能に接続された電話機を更に設けたことを特徴とする請求項１または２に記載の移動通信試験装置。
【請求項４】
前記基地局の備える複数組の回線交換用基地局無線装置およびパケット交換用基地局無線装置のそれぞれの組毎に、前記方向性結合器および前記高周波ケーブルならびに前記試験端末装置を備えたことを特徴とする請求項１〜３のいずれか１項に記載の移動通信試験装置。
【請求項５】
オペレーションセンタから送受信される音声信号およびパケットを端末移動局に無線伝送する無線基地局の無線区間を含めた通信の正常性を試験する移動通信試験方法であって、
前記オペレ―ションセンターにインターネットを介して接続された保守端末装置から、当該保守端末装置のメールアドレスを含むメールを前記無線基地局と通信可能な回線／パケット交換共用携帯電話機機能を備えた試験端末装置に宛てて送信する過程と、
前記試験端末装置が、無線基地局を経て受信した前記メールから、当該メールの送信先のメールアドレスを抽出して、このメールアドレスに向けて受信したメールを返送する過程と、
前記保守端末装置で、前記試験端末装置に宛てて送出した前記メールと同一内容のメールが所定時間内に返送されるか否かを監視する過程と、
を含むことを特徴とする移動通信試験方法。
【請求項６】
オペレーションセンタから送受信される音声信号およびパケットを端末移動局に無線伝送する無線基地局の無線区間を含めた通信の正常性を試験する移動通信試験方法であって、
前記オペレ―ションセンターにインターネットを介して接続された保守端末装置から、当該保守端末装置のメールアドレスを含むメールを前記無線基地局と通信可能な回線／パケット交換共用携帯電話機機能を備えた試験端末装置に宛てて送信する過程と、
前記試験端末装置が、無線基地局を経て受信した前記メールから、当該メールの送信先のメールアドレスを抽出して、このメールアドレスに向けて受信したメールを返送する過程と、
前記保守端末装置で、前記試験端末装置に宛てて送出した前記メールと同一内容の返送メールが所定時間内に返送されるか否かを監視する過程と、
返送メールが所定時間内に返送されない場合には、固定電話機により前記試験端末装置に対して呼び出しと音声送出を行う過程と、
前記試験端末装置が、この呼び出しに対応して自動でオフフックし、記憶している音声メッセージを再生し通話先に送出する過程と、
前記固定電話機により、前記音声メッセージを所定時間内に受話できるか否かを監視する過程と、
音声メッセージが所定時間内に受話できない場合には、前記固定電話機から予め定めておいたＰＢ信号を送信する過程と、
回線／パケット交換共用携帯電話機機能を備えた試験端末装置が、前記ＰＢ信号の受信に応じて、録音された音声を再生し送信したのちオンフックする過程と、
固定電話機で前記再生された音声が受話できるか否かを監視する過程と、
前記再生された音声が受話できない場合に固定電話機により終話させる過程と、
を含むことを特徴とする移動通信試験方法。
【発明の詳細な説明】
【０００１】
【発明の属する技術分野】
本発明は、移動通信システムにおける基地局無線装置の呼処理機能、特に無線区間を含めたパケットデータ呼処理機能が正常に動作しているかを簡易的に試験できる移動通信試験装置および移動通信試験方法に関する。
【０００２】
【従来の技術】
従来、移動通信システムにおける基地局装置およびネットワークの正常性を試験する方法として、移動通信システムの基地局装置を含むネットワークに接続されたオペレ―ションセンタからネットワークおよび基地局を介して無線回線で送信される試験情報を試験装置（移動端末）で受信することで、基地局装置およびネットワークの試験を行う方法が知られている。
【０００３】
このような試験方法や装置は、例えば特開平１０−２２４２９０号公報、特開平１０−２８５６３５号公報、特開２０００−３３２６７４号公報等に開示されている。
【０００４】
上記特開平１０−２２４２９０号公報に開示の試験装置では、図７の概略構成ブロック図に示すように、オペレーションセンタ１９で設定された試験情報を、ネットワーク、基地局無線装置４を介して無線回線１６により携帯電話などの端末移動装置である試験装置１５に送信する。そして、試験装置１５は、試験情報を携帯電話部１１で受信し、試験情報で指定される試験対象セルゾーンに対応するとまり木チャネルで待ち受け状態に移行する。この後、制御部１２の制御により、試験情報で指定される発着信試験に対する基地局無線装置４へのアクセスを携帯電話部１１を介して行い、発着信試験を実施する。そして、オペレーションセンタ１９からの音声またはデータを音声録音再生部１４および非電話通信部１３で録音再生し、あらかじめ録音されている試験用音声またはデータを再生し、オペレーションセンタ１９に送信する。
【０００５】
上述公知例は、報知情報のオペレータ固有領域にて試験情報の授受を行い、試験装置１５はその試験情報を判断して動作するための制御部１２が必要となる。また、回線交換での試験についてもＲＣＲ−ＳＴＤ２７「デジタル方式自動車電話システム」（財団法人電波産業会）により規定される報知情報内のオペレータ固有領域にて試験情報の授受を行い、試験装置１５はその試験情報を判断し動作するための制御部を持つ必要がある。
【０００６】
その他、試験実行については、図７の操作卓８から試験すべき回線交換用基地局無線装置４の止まり木チャネルコード等の試験情報を入力する必要があるため、初期導入設備に費用がかかったり、オペレータ固有領域にて予め設定しておく事項が多く検討時間を費やしたりで導入までに時間を要するだけでなく、試験実行についても操作卓からの試験情報入力の手間がかかり、大きなシステム構築が必要となる難点がある。
【０００７】
この点に対処して、特開２０００−３３２６７４号公報は、より簡単な構成で容易に音声通信の正常性を試験すべく、試験したい基地局無線装置と接続する携帯電話の電話番号を固定電話機からダイヤルし、基地局無線装置からページング信号を電波にて送信し、これに対応して携帯電話機をオフフックして固定電話と携帯電話の回線を接続し、携帯電話で記憶した音声メッセージを再生し、固定電話機でこの音声メッセージを確認することで下り方向の通信の正常性を確認し、また、固定電話機から音声を送信し携帯電話で録音させ、ＰＢ信号を固定電話機から送信して録音した音声を再生させ、固定電話機でこの音声を確認し、上り方向の通信の正常性を確認するようにした移動通信試験方法およびその装置を提案している。
【０００８】
ところで、最近の移動通信システムにおいては、パケット通信にも対応するようになってきている。しかるに、図７に示す従来の試験方法等は、パケット交換機能に関する試験については考慮されておらず実行できなかった。
【０００９】
【発明が解決しようとする課題】
そこで、本発明では、移動通信システムにおける基地局無線装置の呼処理機能、特に無線区間を含めたパケットデータ呼処理機能が正常に動作しているかを、確認することができる移動通信試験方法および装置を提供すること、更には、音声呼処理機能の試験を併用することでパケット呼処理が異常である場合にどこに障害があるかを推測することが可能な移動通信試験装置および移動通信試験方法を提供することを目的とする。
【００１１】
【課題を解決するための手段】
課題解決のため、請求項１に記載の本発明装置では、移動通信試験装置を、前記無線基地局が備える、回線交換用基地局無線装置ならびにパケット交換用基地局無線装置それぞれに接続された２分配結合器とこの２分配結合器に繋がるアンテナとの間に設けられ、一方の分岐端子が前記アンテナに接続された方向性結合器と、前記方向性結合器の他方の分岐端子に一端が接続された高周波ケーブルと、この高周波ケーブルの他端に接続され、パケットデータメモリ部およびパケット試験状態遷移記憶部を有し、回線／パケット交換共用携帯電話機機能を備えた試験端末装置と、前記オペレ―ションセンターにインターネットを介して接続され、インターネットを介して前記試験端末装置に宛てて前記オペレ―ションセンターを経由するメールを送信する機能を有する保守端末装置とを含み構成する。
【００１２】
請求項２に記載の本発明では、請求項１に記載の移動通信試験装置において、前記方向性結合器は、前記２分配結合器から送出される無線信号を前記アンテナへ通過させ、前記アンテナにて受信する無線信号を前記２分配結合器へ通過させるが前記試験端末装置には通過させず、かつ、前記試験端末装置からの試験情報無線信号を前記２分配結合器へ通過させるが前記アンテナには通過させない通過特性を有し、また、前記試験端末装置は、自動オフフックし、予め記憶しているメッセージを再生送信し、受信した音声を録音し、録音された信号をＰＢ信号により再生送信し、ＰＢ信号によりオンフックする機能と、更に、受信したメールに対して返信メールを送信する機能を有するように構成する。
【００１３】
更には、前記保守端末装置を前記オペレーションセンタに設けるとともに、同オペレーションセンタに試験情報として音声データを入力および出力が可能に接続された電話機を更に設けた構成としても良い（請求項４）。また、前記基地局の備える複数組の回線交換用基地局無線装置およびパケット交換用基地局無線装置のそれぞれの組毎に、前記方向性結合器を備えるようにしても良い（請求項５）。
【００１４】
また、請求項６に記載の移動通信試験方法では、オペレ―ションセンターにインターネットを介して接続された保守端末装置から、当該保守端末装置のメールアドレスを含むメールを無線基地局と通信可能な回線／パケット交換共用携帯電話機機能を備えた試験端末装置に宛てて送信する過程と、前記試験端末装置が、無線基地局を経て受信した前記メールから、当該メールの送信先のメールアドレスを抽出して、このメールアドレスに向けて受信したメールを返送する過程と、前記保守端末装置で、前記試験端末装置に宛てて送出した前記メールと同一内容のメールが所定時間内に返送されるか否かを監視する過程とを含むようにする。
【００１５】
請求項７に記載の移動通信試験方法では、オペレ―ションセンターにインターネットを介して接続された保守端末装置から、当該保守端末装置のメールアドレスを含むメールを前記無線基地局と通信可能な回線／パケット交換共用携帯電話機機能を備えた試験端末装置に宛てて送信する過程と、試験端末装置が、無線基地局を経て受信した前記メールから、当該メールの送信先のメールアドレスを抽出して、このメールアドレスに向けて受信したメールを返送する過程と、前記保守端末装置で、前記試験端末装置に宛てて送出した前記メールと同一内容の返送メールが所定時間内に返送されるか否かを監視する過程と、返送メールが所定時間内に返送されない場合には、前記固定電話機により前記試験端末装置に対して呼び出しと音声送出を行う過程と、前記試験端末装置が、この呼び出しに対応して自動でオフフックし、予め記憶している音声メッセージを再生し通話先に送出する過程と、前記固定電話機により、前記音声メッセージを所定時間内に受話できるか否かを監視する過程と、音声メッセージが所定時間内に受話できない場合に、固定電話機から予め定めておいたＰＢ信号を送信する過程と、前記試験端末装置が、前記ＰＢ信号の受信に応じて、録音された音声を再生し送信したのちオンフックする過程と、固定電話機で前記再生された音声が受話できるか否かを監視する過程と、前記再生された音声が受話できない場合に固定電話機により終話させる過程とを含むようにする。
【００１６】
【発明の実施の形態】
本発明に係る移動通信試験装置は、移動通信システム（図１参照）において、オペレーションセンタから送受信される音声信号およびパケットを端末移動局に無線伝送する無線基地局の無線区間を含めた通信の正常性を試験するために、少なくとも、オペレーションセンタに設けられるか接続可能な保守端末装置と、端末移動局としての回線／パケット交換共用携帯電話機機能を備えた試験端末装置（以下では、回線／パケット交換共用携帯電話機と記す）とにより構成される。
【００１７】
この回線／パケット交換共用携帯電話には、パケット交換試験用としてパケット呼出を受けると自動でパケット呼出応答する機能、パケット交換にて受信したパケットデータを保存記録する機能、パケット交換にて受信したパケットデータをパケットデータ内に記載されているメールアドレス番号に対して自動返送する機能、パケット交換にてパケットデータ受信およびパケットデータ送信の動作が完了したら一定時間経過後自動的に回線交換待ち受けに戻る機能、パケット交換にてパケットデータ受信またはパケットデータ送信の動作が完了できなくても一定回数の再試行後に自動的に回線交換待ち受けに戻る機能が備わっている。
【００１８】
また、この回線／パケット交換共用携帯電話（試験端末装置）には、回線交換試験用として回線交換呼出を受けると自動オフフックする機能、自動オフフックした後に予め記憶している音声メッセージを再生し送信する機能、受信した音声を録音する機能、特定のＰＢ信号を受信することにより録音した音声を再生したり、オンフック動作をする機能が備わっている。
【００１９】
一方、保守端末装置は、前記オペレ―ションセンターにインターネットを介して接続可能で、インターネットを介して前記試験端末装置に宛てて前記オペレ―ションセンターを経由するメールを送信する機能を有している。多くの場合、保守端末装置は前記オペレ―ションセンター内に設けられるが、オペレーションセンターに設置してある保守端末以外でもインターネットに接続可能な情報処理端末であれば同様の試験を実施することが可能である。
【００２０】
保守者は例えばオペレーションセンター１９に設備してあるパソコン等の文字データを確認できる保守端末装置を用いて、試験したいパケット交換用基地局無線装置に接続された回線／パケット交換共用携帯電話機１のメールアドレス番号に対して、保守端末５３のメールアドレス番号を含む文字データをパケットデータとして送信し、回線／パケット交換共用携帯電話機１から保守端末装置５３に自動返送されてきたパケットデータが、保守者が送信した文字データと一致していることを確認することでパケット交換でのパケットデータ呼処理機能が正常に動作していることを確認できる。
【００２１】
上述回線／パケット交換共用携帯電話の接続には、既掲の特開２０００−３３２６７４号公報に開示されているような方向性結合器を高周波ケーブルとともに使用するようにすると好適である。図１のブロック図に例示した本発明の一実施の形態では回線／パケット交換共用携帯電話機１と回線交換用基地局無線装置４およびパケット交換用基地局無線装置５０とは、２分配結合器５７、方向性結合器２および高周波ケーブル３０にて接続されている。
【００２２】
上述方向性結合器は、回線交換用基地局無線装置およびパケット交換用基地局無線装置から発射された電波をアンテナへ通過損失を少なくして通過させ、かつ回線／パケット交換共用携帯電話機の方向にも通過させる。また、方向性結合器は、アンテナにて受信した電波を回線交換用基地局無線装置およびパケット交換用基地局無線装置へ通過損失を少なくして通過させるが、回線／パケット交換共用携帯電話機の方向には通過させない。更に、方向性結合器は、回線／パケット交換共用携帯電話機からの電波を回線交換用基地局無線装置およびのパケット交換用基地局無線装置方向に通過させるが、アンテナの方向には通過させない。
【００２３】
従って、回線／パケット交換共用携帯電話機は接続された回線交換用基地局無線装置およびパケット交換用基地局無線装置から発射された電波しか受信できず、また、回線／パケット交換共用携帯電話機から発射された電波は回線交換用基地局無線装置およびパケット交換用基地局無線装置でのみ受信される。
【００２４】
これにより、回線／パケット交換共用携帯電話は必ず一つの回線交換用基地局無線装置で回線交換待ち受けをするか、または、必ず一つのパケット交換用基地局無線装置でパケット交換待ち受けすることになり、着信させる回線／パケット交換共用携帯電話機のメールアドレス番号だけで、試験したいパケット交換用基地局無線装置を特定することが可能となる。
【００２５】
上述、構成に加えて、更に既知の音声試験／非電話データ試験を行うための構成を併用してこれらの試験も併せ行える構成としても無論良い。特に、音声試験を併用することで、パケット通信の際の非正常性の原因を知ることができ好適である。これらについては、実施例として後で詳述する。
〔実施例〕以下、実施例を挙げ図面を参照して本発明について詳細に説明する。図１は、本発明の試験装置を含む基地局試験システムの一実施例を示すブロック図である。
【００２６】
本実施例では、移動通信システムのネットワークを、模式的にオペレーションセンター１９、無線基地局２０、試験装置２１、オペレーションセンター１９と無線基地局２０間を結ぶ回線交換伝送路２８およびパケット交換伝送路５６、基地局２０と回線／パケット交換共用携帯電話機１（試験端末装置）間を結ぶ高周波ケーブル３０で表現している。なお、実際のネットワークでは、対となる１台の回線交換機６と１台のパケット交換機５１には複数の基地局２０が接続されているが、図１では一つの基地局２０のみ図示している。
【００２７】
本実施例のオペレーションセンター１９は、回線交換を行う回線交換機６、パケット交換を行うパケット交換機５１、インターネット関門交換機５２、保守端末装置５３、固定電話機９、回線関門交換機２２を含み構成されている。パケット交換機５１は、インターネット関門交換機５２を介して外部のインターネットサービスプロバイダー５４を経由してインターネット５５に接続されている。保守端末装置５３もインターネットサービスプロバイダに接続されている。
【００２８】
なお、パケット交換用基地局無線装置５０の試験は、保守端末装置５３から保守者が回線／パケット交換共用携帯電話機１のメールアドレス番号に対してこの保守端末のメールアドレスを含むパケットデータを送信することにより実行される。
【００２９】
パケット交換用基地局無線装置５０の試験は、上記保守端末５３からでなくても、インターネットに接続できる情報端末であれば良く、やはり回線／パケット交換共用携帯電話機１のメールアドレス番号に対して情報端末のメールアドレスを含むパケットデータを送信することにより、パケット交換用基地局無線装置５０の試験が実行できる。
【００３０】
この試験の際の動作やパケット交換用基地局無線装置５０が正常かどうかをどの様に判断するかについては、後の本実施例の動作の説明にて詳述する。
【００３１】
次に、無線基地局２０は、試験端末装置である回線／パケット交換共用携帯電話機１に高周波ケーブル３０を介して接続される方向性結合器２と、この方向性結合器２に接続されたアンテナ３および２分配結合器５７、この２分配結合器５７に接続されたパケット交換用基地局無線装置５０及び回線交換用基地局無線装置４と、この回線交換用基地局無線装置に接続された基地局制御装置５とを備えている。
【００３２】
このように試験装置の回線／パケット交換共用携帯電話機１は、高周波ケーブル３０にて方向性結合器２および２分配結合器５７を経由して回線交換用基地局無線装置４およびパケット交換用基地局無線装置５０と接続されている。
【００３３】
上記方向性結合器２および２分配結合器５７における電波の通過方向を図２により説明する。方向性結合器２は２分配結合器５７とアンテナ３が双方向（図２中方向Ａ）にて電波を通過させ、また方向Ｂは２分配結合器５７と回線／パケット交換共用携帯電話機１が双方向（図２中方向Ｂ）にて電波を通過させるが、アンテナ３と回線／パケット交換共用携帯電話機１との間は双方向ともに電波を通過させない性質を持っている。
【００３４】
２分配結合器５７は、回線交換用基地局無線装置４およびパケット交換基地局無線装置５０からの高周波信号を結合し方向性結合器２へ通過させ、反対に方向性結合器２からの高周波信号を回線交換用基地局無線装置４およびパケット交換基地局無線装置５０に２分配する。
【００３５】
従って、方向性結合器２は、図２に示すように、基地局無線装置４或いはパケット交換用基地局無線装置５０から出力され２分配結合器５７を経由した高周波信号をアンテナ３へ低通過損失にて通過させ（図２中の方向Ａ）、かつ回線／パケット交換共用携帯電話機１の方向にも通過させる（図２中の方向Ｂ）。また、方向性結合器２は、アンテナ３にて受信した電波を２分配結合器５７へのみ低通過損失で通過させるが、回線／パケット交換共用携帯電話機１の方向には通過させない（図２中の方向Ａ）。また、方向性結合器２は、回線／パケット交換共用携帯電話機１からの高周波信号を２分配結合器５７の方向に通過させるが、アンテナ３の方向には通過させない（図２中の方向Ｂ）。
【００３６】
このように、方向性結合器２によって、回線／パケット交換共用携帯電話機１は方向性結合器２によって接続された２分配結合器５７を経由して回線交換用基地局無線装置４およびパケット交換基地局無線装置５０としか電波を送受信できないことになる。
【００３７】
次に、回線／パケット交換共用携帯電話機１の構成を図３のブロック図に示す。回線／パケット交換共用携帯電話機１は、無線部３１、ベースバンド部３２、音声メッセージ再生部３３、音声録音再生部３４、パケットデータメモリ部５８、パケット試験状態遷移記憶部５９、およびこれら各部を制御するＣＰＵ３５から構成されている。
【００３８】
ＣＰＵ３５、無線部３１、ベースバンド部３２および音声メッセージ再生部３３は回線交換試験とパケット交換試験の両方に対応している。音声録音再生部３４は回線交換試験時のみに使用される。また、パケットデータメモリ部５８およびパケット試験状態遷移記憶部５９はパケット交換試験時のみに使用される。
【００３９】
音声メッセージ再生部３３は、自動オフフック後に予め記憶している音声メッセージを自動再生あるいは予め定めておいた特定のＰＢ音を受信させることによりパケット試験状態遷移記憶部５９での状態に基づいてその状態を音声再生する機能を有し、音声録音再生部３４は、受信した音声を録音および再生する機能がある。受信した音声を再生させるには、予め定めておいた特定のＰＢ音を受信させることにより動作する。これらの機能は、一般固定電話に見られる留守番電話機能、すなわちかかってきた呼に自動でオフフックし、予め記憶させておいた音声メッセージを自動再生し、受信した音声を録音し、予め定めておいた特定のＰＢ音を受信すると録音された音声を再生する機能と同等の機能である。
【００４０】
パケットデータメモリ部５８とパケット試験状態遷移記憶部５９は、パケット交換試験の両方に対応している。パケットデータメモリ部５８は、パケット交換にて受信したパケットデータを保存記録する機能を持つ。パケット試験状態遷移記憶部５９は、後述するパケット試験（図４；フロー図参照）の状態がどこまで進んでいたかを記憶する機能を持つ。より具体的には、図４のステップＰ１０４にてパケット呼出信号を受信しなかった場合は「パケット呼出信号受信なし」の状態を記憶し、ステップＰ１０５でパケット呼出応答を送信し且つステップＰ１０８にてデータを受信しなかった場合は「データ受信無し」の状態を記憶し、ステップＰ１０８でデータを受信し且つステップＰ１０９にてデータを返信ができなかった場合には「データ返信できず」の状態を記憶し、ステップＰ１０８でデータを受信し且つステップＰ１０９にてデータを返信した場合には「データ返信済み」の状態を記憶する。前記ＣＰＵ３５は、パケット交換試験時には、パケットデータ内にある発信側のメールアドレス番号を抽出し、そのアドレス番号宛に受信したパケットデータを自動返送する動作を制御する。
【００４１】
続いて、本発明の一つの上記図１の実施例においてどの様に試験を実施するか、また、パケット交換用基地局無線装置５０が正常かどうかをどの様に判断するかについて説明する。
【００４２】
図４の動作フロー図を用いてパケット交換用基地局無線装置が正常な場合の試験の動作を説明する。保守者は、保守端末装置５３から試験をしたいパケット交換用基地局無線装置５０と接続されている回線／パケット交換共用携帯電話機１のメールアドレス番号に宛てて保守端末装置５３のメールアドレス番号を含む文字列データをインターネットサービスプロバイダ５４へ発信する（ステップ；Ｐ１００）。
【００４３】
インターネットサービスプロバイダ５４およびインターネット５５を経由して、インターネット関門交換機５２に回線／パケット交換共用携帯電話機１へのリンク接続要求が送信され（ステップ；Ｐ１０１）、インターネット関門交換機５２はパケット交換機５１にパケット回線接続要求信号を送出する（ステップ；Ｐ１０２）。
【００４４】
パケット交換機５１は、回線交換機６に対して回線／パケット交換共用携帯電話機１へのパケット交換接続要求があることを通知し（ステップ；Ｐ１０３）、回線交換機６は基地局制御装置５を経由して回線交換用基地局送受信装置４にて回線／パケット交換共用携帯電話機１へパケット呼出を送信する（ステップ；Ｐ１０４）。
【００４５】
回線／パケット交換共用携帯電話機１はパケット呼出を受信すると、パケット交換基地局無線装置５０に対してパケット呼出応答を送出し、パケット交換用基地局無線装置５０はパケット交換機５１にパケット呼出応答を送出する（ステップ；Ｐ１０５）。パケット交換機５１は、回線／パケット交換共用携帯電話機１からのパケット呼出応答を受信すると、インターネット関門交換機５２に対してリンク接続応答信号を送出する（ステップ；Ｐ１０６）。
【００４６】
インターネット関門交換機５２は、相手とのリンクが確立できたことをリンク接続応答としてインターネットサービスプロバイダ５４へ通知する（ステップ；Ｐ１０７）。インターネットサービスプロバイダ５４と回線／パケット交換共用携帯電話機１との間のリンクが確立されたことにより、インターネットサービスプロバイダ５４は保守端末装置５３から受信したデータを回線／パケット交換共用携帯電話機１宛にパケット交換用基地局無線装置５０を経由して送出する（ステップ；Ｐ１０８）。
【００４７】
回線／パケット交換共用携帯電話機１は受信したデータをパケットデータメモリ部５８に保存記録し、データに含まれる保守端末装置５３のメールアドレス番号を検出し、受信して保存記録したデータを保守端末装置５３のメールアドレス番号宛にパケット交換用基地局無線装置５０を経由して返送する（ステップ；Ｐ１０９）。
【００４８】
インターネットサービスプロバイダ５４は、回線／パケット交換共用携帯電話機１から受信したデータをインターネット５５およびインターネットサービスプロバイダを経由して保守端末装置５３に送出し、保守端末装置５３はデータを受信する。保守者は保守端末装置５３にて受信した文字データと自身が送信したデータとを比較して、両者が同一であることでパケットデータ呼処理機能が正常に動作していることを確認する（ステップ；Ｐ１１０）。
【００４９】
次に試験が異常な場合の動作を図５の動作フロー図に沿って説明する。保守者は一定時間待っても回線／パケット交換共用回線／パケット交換共用携帯電話機１からデータが返送されてこない場合には、固定電話機９から回線／パケット交換共用回線／パケット交換共用携帯電話機１の電話番号をダイヤルする（ステップ；Ｓ５０）。回線交換用基地局無線装置４は回線／パケット交換共用携帯電話機１を呼び出す信号（ページング信号）を電波にて送信する（ステップ；Ｓ５１）。
【００５０】
ページング信号を受信した回線／パケット交換共用携帯電話機１と回線交換用基地局無線装置４との間で着信シーケンスのやりとりが行われ（ステップ；Ｓ５２）、回線／パケット交換共用携帯電話機１は自動でオフフックし、固定電話機９と回線／パケット交換共用携帯電話機１の回線交換リンクが接続される（ステップ；Ｓ５３）。
【００５１】
回線／パケット交換共用携帯電話機１は自動オフフック後、記憶している音声メッセージを再生・送出し、その再生された音声メッセージを保守者が固定電話機９の受話器から聞く（ステップ；Ｓ５４）。ここまでの確認ができ無い場合は、回線交換機６、基地局制御装置５および回線交換用基地局装置のいずれかからパケット呼出信号が送出されていないことが原因と推測できる。
【００５２】
一方ステップ；Ｓ５４までの確認ができた場合は、保守者は更に固定用電話機９から予め定めておいたＰＢ信号（プッシュボタン信号）を送信し、回線／パケット交換共用携帯電話機１がそのＰＢ信号を受信する（ステップ；Ｓ５６）と、直前のパケット試験での状態遷移記憶部５９に記憶された状態内容に応じて、予め録音されていた音声中の適切なものを再生・送信し保守者は固定電話器９の受話器から再生された音声を聞く（ステップ；Ｓ５７）ことで、信号のステップがどこまで進んでいたかを確認することが可能となる（ステップ５８）。
【００５３】
より具体的には、状態「パケット呼出信号受信無し」を聞いた場合には、パケット交換用基地局無線装置５０からパケット呼出信号が送出されていないことが判断できる。状態「データ受信無し」を聞いた場合には、パケット呼出応答信号がパケット交換用基地局無線装置５０にて受信できていないことが判断できる。状態「データ返信できず」を聞いた場合には、無線区間の下り方向でのパケット伝送は正常であるが無線区間の上り方向でのパケット伝送は輻輳していることが予測される。状態「データ返信済み」は試験が正常にできた後でのみで聞くことができる音声である。
【００５４】
また、ステップ；Ｓ５４で保守者が音声メッセージを聞くことができなかった場合、回線交換機６、基地局制御装置５および回線交換用基地局装置のいずれかからパケット呼出信号が送出されていないことが原因として推測できると前述したが、単に回線交換の無線区間の上り方向が異常であり再生された音声メッセージが聞こえないだけの可能性もある。その場合はどちらであるかの切り分けとして以下の手順で判断することができる。
【００５５】
先ず、保守者は再生メッセージが聞こえない場合、固定電話機９の受話器から音声を送信し、その音声を回線／パケット交換共用携帯電話機１は録音する（ステップ；Ｓ５５）。
【００５６】
保守者は予め定めておいたＰＢ信号を固定電話機９から送信し、回線／パケット交換共用携帯電話機１はそのＰＢ信号を受信する（ステップ；Ｓ５６）と、録音された音声を再生し送信し保守者は固定電話機９の受話器から再生された音声を聞くか（ステップ；Ｓ５７）、または回線／パケット交換共用携帯電話機１をオンフックすることで終話となる（ステップ；Ｓ５８）。
【００５７】
回線交換用基地局無線装置４が正常であれば、ステップ；Ｓ５４での回線／パケット交換共用携帯電話機１が記憶している音声メッセージと、ステップ；Ｓ５７での回線／パケット交換共用携帯電話機１にて録音再生された保守者の音声の両方が聞こえる。
【００５８】
無線回線の下り方向のみが異常である場合には、ステップ；Ｓ５４の音声メッセージは聞こえるが、保守者が録音した音声はステップ；Ｓ５７で正常に聞くことができない。無線回線の上り方向のみが異常である場合には、ステップ；Ｓ５４の音声メッセージが聞こえないが、下り方向の回線が正常のためステップ；Ｓ５６にてオフフックのＰＢ信号を受信でき、終話（ステップ；Ｓ５９）となる。
【００５９】
下り方向および上り方向の両方の回線が異常である場合には、ステップ；Ｓ５４の音声メッセージを保守者が聞くことができず、ＰＢ信号により回線／パケット交換共用携帯電話機１からオンフックし終話させることもできないことになることから状況が判定できる。なお、そのときは固定電話機９をオンフックすることにより終話させる。
【００６０】
固定電話機を使用する理由は、無線回線に比べて固定回線は回線品質が安定しており、回線交換用基地局無線装置４と回線／パケット交換共用回線／パケット交換共用携帯電話機１の無線回線を試験する上で影響を与えないからである。
【００６１】
なお、上述実施例では、回線交換用基地局無線装置４およびパケット交換基地局無線装置５０が単一セクタで構成されているときを対象としているが、本発明はこれに限らず、回線交換用基地局無線装置４およびパケット交換基地局無線装置５０が、より多数のセクタに対応している場合にも適用可能である。例えば、回線交換用基地局無線装置およびパケット交換用基地局無線装置それぞれが３セクタ構成の場合について、図６に要部接続図を示す。
【００６２】
図６に示される実施例では、アンテナ３−１、３−２、３−３及び試験端末装置（回線／パケット交換共用携帯電話機１−１、１−２、１−３）を高周波ケーブル３０−１、３０−２、３０−３でそれぞれ方向性結合器２−１、２−２、２−３に接続し、２分配結合器５７−１，５７−２，５７−３を経由させて基地局の対応するセクタに接続する。それぞれのセクタに対して保守者側より順に接続し既述した試験過程を実行することにより、セクタ単位で正常かどうかを試験することができる。
【００６３】
また、以上の実施例では、専用の回線／パケット交換共用携帯電話機（試験端末装置）を用いたが、これまで説明した機能を外部からの制御で実現できる一般の商用端末と、この端末の外部接続用端子（制御用端子）に外部から接続する制御部とで上述したごとき試験端末装置を構成することも考えられる。
【００６４】
【発明の効果】
以上説明したように本発明によれば、移動通信試験装置を、無線基地局と通信可能な回線／パケット交換共用携帯電話機機能を備えた試験端末装置と、前記オペレ―ションセンターにインターネットを介して接続された保守端末装置とを含み構成したので、試験したいパケット交換用基地局無線装置に接続されている試験端末装置のメールアドレス番号に対して、保守端末装置から同端末のメールアドレス番号を含んだパケットデータを送信し返信を確認することで、移動通信システムにおける基地局無線装置の呼処理機能、特に無線区間を含めたパケットデータ呼処理機能が正常に動作しているかを試験することができる。
【００６５】
また、更に音声呼処理機能の試験を併用するようにしたものでは、パケット呼処理が異常である場合にどこに障害があるかを推測することが可能となる。
【００６６】
なお、基地局無線装置およびパケット交換用基地局無線装置と試験端末装置とを、アンテナと端末移動局間では高周波信号を通過させない既知方向性結合器を介して高周波ケーブルで接続するようにしたものでは、より簡単な手続きで試験したい基地局無線装置を特定することができる。
【図面の簡単な説明】
【図１】本発明の移動通信試験装置の一実施例を含み構成された移動通信システムを示すブロック図である。
【図２】実施例での方向性結合器および２分配結合器における電波の通過方向を説明する図である。
【図３】実施例の回線／パケット交換共用携帯電話機の構成ブロック図である。
【図４】実施例による通信の正常性の試験を行う動作を示す動作フロー図である。
【図５】実施例における試験時に異常の場合の動作を示す動作フロー図である。
【図６】本発明の他の実施例を示す基地局無線装置と試験装置との関係を示す要部接続図である。
【図７】従来例の移動通信試験装置を示すブロック図である。
【符号の説明】
１，１−１，１−２，１−３…回線／パケット交換共用携帯電話（試験端末装置）
２，２−１，２−２，２−３…方向性結合器
３，３−１，３−２，３−３…アンテナ
４…回線交換用基地局無線装置
５…基地局制御装置
６…回線交換機
９…固定電話機
１９…オペレーションセンタ
２０…基地局
２２…回線関門交換機
２８…回線交換伝送路
３０，３０−１，３０−２，３０−３  …高周波ケーブル
３１…無線部
３２…ベースバンド部
３３…音声メッセージ再生部
３４…音声録音再生部
３５…ＣＰＵ
５０…パケット交換用基地局無線装置
５１…パケット交換機
５２…インターネット関門交換機
５３…保守端末装置
５４…インターネットサービスプロバイダ
５５…インターネット
５６…パケット交換伝送路
５７，５７−１，５７−２，５７−３  …２分配結合器
５８…パケットデータメモリ部
５９…パケット試験状態遷移記憶部
【図１】
0003565173.tif 000002
【図２】
0003565173.tif 000003
【図３】
0003565173.tif 000004
【図４】
0003565173.tif 000005
【図５】
0003565173.tif 000006
【図６】
0003565173.tif 000007
【図７】
0003565173.tif 000008